(57)【要約】【課題】凹凸のある床面でも奇麗に清掃することのできる電動床洗浄装置を提供する。【解決手段】床面に洗浄液を供給しながらパッドを床面に押圧し、このパッドを回転させて床面を擦ることによって洗浄する電動床洗浄装置において、前記パッドを、それぞれが個別に回転駆動する３つの円形小型パット５ａ〜５ｃで構成した。【選択図】図２
2006061285.tif 000002
【特許請求の範囲】
【請求項１】
床面に洗浄液を供給しながらパッドを床面に押圧し、このパッドを回転させて床面を擦ることによって洗浄する電動床洗浄装置において、
前記パッドを、それぞれが個別に回転駆動する３つの円形小型パットで構成したことを特徴とする電動床洗浄装置。
【請求項２】
前記円形小型パッドを床面に押圧した時変形するやわらかな物質で構成したことを特徴とする請求項1に記載の電動床洗浄装置。
【請求項３】
床面に洗浄液を供給しながらパッドを床面に押圧し、このパッドを回転させて床面を擦ることによって洗浄する床洗浄方法において、
電動床洗浄装置として、回転する円盤状支持体に支持され、個別に回転する３個の軸を有し、各軸により回転する小型パッドを備えた構成のものを用いるとともに、前記円形小型パッドは、汚れに応じて通常選択されるパッドより一段軽い汚れ用のパッドを使用することを特徴とする床洗浄方法。
【発明の詳細な説明】
【技術分野】
【０００１】
本発明は、ビニール樹脂製タイル、シート等の床面洗浄に好適な電動床洗浄装置および床洗浄方法に関するものである。
【背景技術】
【０００２】
従来、この種の装置としては、フロアーポリッシャーと称される手押し移動式の電動床洗浄装置が知られている。この電動床洗浄装置は、床面に洗浄液を供給しながら円盤状のパッドを床面に圧止し、このパッドを回転駆動させて床面を強く擦ることによって清浄化するのである。この電動床洗浄装置は概略的には、内蔵したモータによって回転されるパッドを覆っているパッドカバーを備えたパッド駆動機構と、このパッド駆動機構に対して前後左右の任意方向への傾きを手動操作で制御する自在手段を介してパッド駆動機構に連繋した棒状の操作ハンドルと、パッド駆動機構を前後に進退させるよう自在手段に付設した移動輪とを備えて成っている。そしてこの電動床洗浄装置を使用し、床面に沿って前後左右に移動走行させることによって床面を洗浄しており、また、移動操作には、パッド自体が床面を擦りながら回転しているために操作ハンドルに対する前後の傾動あるいは左右へのひねり等によって自在手段を介してパッド駆動機構全体を前後左右に傾けることで、操作者の希望する方向に移動させるようにしている（特許文献１参照）。
【特許文献１】特開２００２−３６０４８６号公報
【発明の開示】
【発明が解決しようとする課題】
【０００３】
上記従来の装置においては、パッド1つが大型に形成されているため、床に凹凸がある場合、凹面の部分にパットが接触せずこの部分の清掃を行うことができないという問題があった。
【０００４】
本発明の目的は、凹凸のある床面でも奇麗に清掃することのできる電動床洗浄装置を提供することにある。
【０００５】
本発明の他の目的は、床に塗布されたワックスを剥がすことのない床洗浄方法を提供することにある。
【課題を解決するための手段】
【０００６】
上記の各目的を達成するため、請求項１では、床面に洗浄液を供給しながらパッドを床面に押圧し、このパッドを回転させて床面を擦ることによって洗浄する電動床洗浄装置において、前記パッドを、それぞれが個別に回転駆動する３つの円形小型パットで構成したことを特徴とする。
【０００７】
また、請求項２では、前記円形小型パッドを床面に押圧した時変形するやわらかな物質で構成したことを特徴とする。
【０００８】
また、請求項３は、床面に洗浄液を供給しながらパッドを床面に押圧し、このパッドを回転させて床面を擦ることによって洗浄する床洗浄方法において、電動床洗浄装置として、回転する円盤状支持体に支持され、個別に回転する３個の軸を有し、各軸により回転する小型パッドを備えた構成のものを用いるとともに、前記円形小型パッドは、汚れに応じて通常選択されるパッドより一段軽い汚れ用のパッドを使用することを特徴とする。
【発明の効果】
【０００９】
本発明によれば、パッドを、それぞれが個別に回転駆動する３つの円形小型パットで分割構成し、かつ、汚れに応じて通常使用するパッドより一段軽い汚れ用のパッドとを組合せて使用するようにしたため、面圧が高くなり、凹面部分にもパッドが入り込みこの部分の清掃も効果的に行うことができるという顕著な効果を達成することができる。
【００１０】
また、汚れに応じて通常使用するパッドより一段軽い汚れ用のパッドを使用しているため、前記円形小型パッドを床面に押圧した時、パッドが凹凸に追従して変形し、しかもパッドは、通常使用されるパッドよりもやわらかな物質のものとなり、パッドによる面圧が高くなったとしても、床面に塗布されたワックスを剥がすことがなく床面の清掃を行うことができる。
【発明を実施するための最良の形態】
【００１１】
以下、本発明の実施形態を図面に基づき説明する。
【００１２】
図1は本発明の一実施形態になる電動床洗浄装置を示す全体斜視図、図2は図1に示す電動床洗浄装置の支持体部分の平面図、図3は清掃中の状態における１つのパッドを拡大した断面図である。
【００１３】
図において符号１は電動床洗浄装置本体であり、駆動源である内蔵モータ２を備えている。３は回転する円盤状の支持体で、この支持体３に、図2に示すように個々に軸４ａ〜４ｃに固定さて回転するように設けられた３つの円形小型パット５ａ〜５ｃが設けられている。４は支持体３を覆っているカバー、７は内蔵モータ２の駆動を支持体３やパッド５ａ〜５ｃに伝えるための駆動機構、８は前記駆動機構７の筐体部分に対して継ぎ手９を介して取り付けられ、この継ぎ手９を中心に上下方向に傾斜自在な棒状の操作ハンドルである。１０は前記駆動機構７の筐体部分に付設した移動輪、１１は操作ハンドル８の中間位置に取り付けられた洗浄液タンク、１２は前記洗浄液タンク１１から洗浄液をパッド５ａ〜５ｃの近傍に供給する洗浄液パイプである。なお、操作ハンドル８の握り部８Ａの近傍には、洗浄液の供給・供給停止を操作するレバー（図示省略）が備えられている。符号１１は電源コードである。
【００１４】
前記パッド５ａ〜５ｃは、それぞれが所定の厚さたとえば３〜５センチメートルのドーナッツ状または円盤状をしており、その外径は１０〜１８ｃｍとなっており、パッドが１つの場合で汚れに応じて通常選択されるパッドより一段軽い汚れ用（相対的にやわらかい）のパッド、たとえば、通常は緑パッド（表面洗浄用強）を選択する場合にあっては、一段軽い汚れ用の青パッド（表面洗浄用中）を、通常は青パッドを選択する場合にあっては、一段軽い汚れ用の赤パッド（表面洗浄用軽）を使用する。
【００１５】
このように、パッドが３個から構成され、個々のパッドは、パッドが１個の場合に比べてやわらかくなっているので、図３に示すように床に凹凸がある場合でも、凹部部分にパッド５ａ〜５ｃが十分に入り込むことができ、清掃残しを発生させずに清掃または洗浄することができる。
【００１６】
また、パッドが３個から構成されているため、パッド１個、１個に掛かる重量が大きくなると共に、各パッド５ａ〜５ｃが床１３に押し付けられた時、床１３の凹凸に追従して各パッド５ａ〜５ｃが変形し、ワックス層１４上の汚れ１５だけ除去し、ワックス層１４を剥離することはない。
【図面の簡単な説明】
【００１７】
【図１】本発明の一実施形態になる電動床洗浄装置を示す全体斜視図である。
【図２】図１に示す電動床洗浄装置の支持体部分の平面図である。
【図３】清掃中の状態における１つのパッドを拡大した断面図である。
【符号の説明】
【００１８】
１          電動床洗浄装置本体
２          内蔵モータ
３          支持体
４ａ〜４ｃ  軸
５ａ〜５ｃ  円形小型パッド
６          カバー
７          駆動機構
８          操作ハンドル
９          継ぎ手
９Ａ        握り部
１０        移動輪
１１        洗浄液タンク
１２        洗浄液パイプ
１３        床
１４        ワックス層
１５        汚れ
【図１】
2006061285.tif 000003
【図２】
2006061285.tif 000004
【図３】
2006061285.tif 000005